(57)【特許請求の範囲】
【請求項１】
基礎立上り部の室内側を略Ｌ型に切り欠いて段差を形成するとともに、柱設置部位においては室外側も切り欠いて段差をなくし、この基礎立上り部の柱設置部位に柱を設置し、同じく基礎立上り部の室外側天端上方に外壁材を配置して、同じく基礎立上り部の室内側天端レベルに合わせて土間を敷設するようにしたことを特徴とする店舗用の床構造。
【請求項２】
柱の柱脚周りをコンクリート又はモルタルで根巻きしてある請求項１記載の店舗用の床構造。
【請求項３】
外壁材の室内側及び根巻き部分を除く柱の室内側を、内壁材によって覆うようにした請求項２記載の店舗用の床構造。
【請求項４】
根巻き部分を含む柱の室内側を、内装材によって覆うようにした請求項２又は３のいずれかに記載の店舗用の床構造。
【発明の詳細な説明】
【０００１】
【発明の属する技術分野】
この発明は、床仕上げレベルを低く抑えた店舗用の床構造に関する。
【０００２】
【従来の技術】
一般に、店舗では、お客の出入り、品物や備品の搬入等を容易にするために、その床仕上げレベルを住宅の床仕上げレベルよりも低くしている。すなわち、図８及び図９に示すように、土間コンクリート(１)上に床材等を直接敷設することによって、その床仕上げレベルを基礎(２)の天端レベルよりも低くしている。なお、図中、(４)は外壁材、(５)は柱である。
【０００３】
【発明が解決しようとする課題】
しかしながら、上記のように床仕上げレベルを低くした場合、基礎立上り部の室内側の角部分が、基礎型(３)として室内に出張ることが多かった。このため、見栄えが悪く、室内の壁際へ備品等をきっちりと設置することができず、室内空間を狭めてしまう原因にもなっていた。
【０００４】
そこで、この発明は、上記の不具合を解消して、室内への基礎型の出張りをなくして、見栄えが良好で、室内空間の有効利用を図ることができる店舗用の床構造の提供を目的とする。
【０００５】
【課題を解決するための手段】
上記の課題を解決するため、この発明の店舗用の床構造は、基礎立上り部の室内側を略Ｌ型に切り欠いて段差を形成するとともに、柱設置部位においては室外側も切り欠いて段差をなくし、この基礎立上り部の柱設置部位に柱を設置し、同じく基礎立上り部の室外側天端上方に外壁材を配置して、同じく基礎立上り部の室内側天端レベルに合わせて土間を敷設するようにしたことを特徴とする。
【０００６】
そして、柱の柱脚周りをコンクリート又はモルタルで根巻きしてある。また、外壁材の室内側及び根巻き部分を除く柱の室内側を、内壁材によって覆うようにしている。さらに、根巻き部分を含む柱の室内側を、内装材によって覆うようにしている。
【０００７】
【発明の実施の形態】
以下、この発明の実施形態に係る店舗用の床構造を、その施工手順に従って説明する。まず、図２に示すような布基礎(10)を成型する。この布基礎(10)は、基礎立上り部(11)の室内側の天端角部分を略Ｌ型に切り欠いて、天端部分に段差(17)を形成するとともに、柱設置部位(12)(12)においては室外側の天端角部分も切り欠いて段差(17)をなくしてある。これにより、基礎立上り部(11)における室外側天端面(13)が室内側天端面(14)よりも高くなり、また室内側天端面(14)と柱設置部位(12)(12)の天端面(15)(15)とが面一で連続している。さらに、柱設置部位(12)(12)の天端面(15)(15)からは、アンカーボルト(16)(16)が上方に向かって突出している。
【０００８】
そして、この基礎立上り部(11)の柱設置部位(12)において、図３及び図４に示すように、例えば角形鋼管からなる柱(20)(20)の下端部に溶接したプレート(35)(35)を、天端面(15)(15)に載せた状態でアンカーボルト(16)(16)に固定することで、柱(20)(20)を設置する。その柱(20)(20)の柱脚周りには、コンクリート又はモルタルからなる充填材を充填して根巻きする。なお、柱(20)の室外側には、外壁材(22)を取り付け、室内側には、根巻き部分(21)(21)を除いて内壁材(23)を取り付け、これら外壁材(22)及び内壁材(23)によって柱(20)を覆い隠す。
【０００９】
また、基礎立上り部(11)の室内側天端レベルに合わせて、図３及び図５に示すように、土間コンクリート(25)を敷設する。そして、この土間コンクリート(25)の表面及び室内側天端面(14)に跨って、表面仕上げとしてモルタル(26)や重歩行用シートを施す。
【００１０】
さらに、基礎立上り部(11)の室外側天端面(13)の直上には、図１及び図５に示すように、外壁材(31)(31)…を配置する。これら外壁材(31)(31)…の室内側は、表面仕上げがなされた土間コンクリート(25)から立ち上がった内壁材(27)(27)…によって覆うようにしている。なお、内壁材(27)(27)…には、その室外側に断熱材(30)(30)…が取り付けられている。
【００１１】
このように構成した店舗用床においては、布基礎(10)の基礎立上り部(11)の室内側を切り欠いていることから、床仕上げレベルを低くしたにもかかわらず、柱(20)の根巻き部分(21)(21)を除いて基礎型が室内に出っ張ることがない。従って、見栄えが良好になり、また壁際に沿って備品等をきっちと設置することができ、室内空間を無駄なく有効利用することができる。
【００１２】
なお、図１に示す構造の場合、柱(20)の根巻き部分(21)(21)が室内側に露出しているが、図６に示すように、土間コンクリート(25)から立ち上がった内装材(32)(32)によって、根巻き部分(21)(21)を含めた柱(20)の室内側を覆うことで、根巻き部分(21)(21)によって生じる段差を隠して、見栄えをさらに良好にすることができる。
【００１３】
この発明は、上記実施形態に限定されるものではなく、この発明の範囲内で上記実施形態に多くの修正及び変更を加え得ることは勿論である。
【００１４】
【発明の効果】
以上の説明から明らかなように、この発明によれば、基礎立上り部の室内側を切り欠いて、この基礎立上り部の室外側天端上方に外壁材を配置し、室内側天端レベルに合わせて土間を敷設していることから、室内の壁際に基礎型が出張ることがなく、このため見栄えが良好になり、また壁際に沿って備品等をきっちりと設置することができるので、室内空間の有効利用を図ることができる。
【図面の簡単な説明】
【図１】この発明の一実施形態に係る店舗用の床構造を示す一部破断斜視図である。
【図２】同じくその布基礎の一部破断斜視図である。
【図３】同じくその柱および土間を設置した状態を示す一部破断斜視図である。
【図４】同じくその柱部分の縦断面図である。
【図５】同じくその外壁部分の縦断面図である。
【図６】同じくその根巻き部分を含めた柱の室内側を内装材で覆った状態を示す一部破断斜視図である。
【図７】内装材で覆った柱部分の縦断面図である。
【図８】従来の店舗用の床構造を示す一部破断斜視図である。
【図９】同じくその外壁部分の縦断面図である。
【符号の説明】
(10)  布基礎
(11)  基礎立上り部
(12)  柱設置部位
(13)  室外側天端面
(14)  室内側天端面
(20)  柱
(21)  根巻き部分
(25)  土間コンクリート
(23)(27)  内壁材
(31)  外壁材
(32)  内装材
【図１】
0003812811.tif 000002
【図２】
0003812811.tif 000003
【図３】
0003812811.tif 000004
【図４】
0003812811.tif 000005
【図５】
0003812811.tif 000006
【図６】
0003812811.tif 000007
【図７】
0003812811.tif 000008
【図８】
0003812811.tif 000009
【図９】
0003812811.tif 000010